(57)【特許請求の範囲】
【請求項１】
地板に対して垂直な回転中心軸線のまわりで回転可能で且つ前記回転中心軸線の延在方向に前記地板に対して移動可能なスイッチ本体であって、前記回転中心軸線に対して径方向に離れた部位において前記地板に向かって突出した複数の脚部、及び前記複数の脚部のうち一つの脚部の前記地板とは反対側の端部において前記地板とは反対向きに突出したスイッチ接点部を備えたものと、
前記スイッチ本体の複数の脚部の地板側端部が前記地板の対向表面に当接するように、前記スイッチ本体に対して地板方向の弾性力を与えるばね部を備えた弾性偏倚手段と、
前記スイッチ本体が回転された際に、前記スイッチ本体を前記地板の延在面に対して垂直な向きに変位させるべく前記地板の表面に形成された突出壁部を含む作動壁部と、
前記スイッチ本体の回転の際に前記スイッチ本体が前記作動壁部の前記突出壁部によって前記地板の延在面に垂直な向きに変位された際に、前記スイッチ本体の前記スイッチ接点部と当接するように前記地板に対して対向配置された回路側接点と
を有するスイッチ装置。
【請求項２】
前記回路側接点は、前記スイッチ本体が回転される際に前記スイッチ本体の前記スイッチ接点部が移動する円に沿って配置された二つの回路側接点部を有する請求項１に記載のスイッチ装置。
【請求項３】
前記二つの回路側接点部の間の間隔が前記スイッチ本体の前記スイッチ接点部の大きさよりも小さい請求項２に記載のスイッチ装置。
【請求項４】
前記回路側接点部は、前記地板に平行に配置された回路基板の対向面に形成された導電パターンからなる請求項２又は３に記載のスイッチ装置。
【請求項５】
前記スイッチ本体部の前記スイッチ接点部が導電性のピンからなる請求項１から４までのいずれか一つの項に記載のスイッチ装置。
【請求項６】
前記弾性偏倚手段が前記回路側接点のある部分を背後から支える別のばね部を備える請求項１から５までのいずれか一つの項に記載のスイッチ装置。
【請求項７】
前記突出壁部が傾斜面を備える請求項１から６までのいずれか一つの項に記載のスイッチ装置。
【請求項８】
前記スイッチ本体が２４時間真と一体的に形成されている請求項１から７までのいずれか一つの項に記載のスイッチ装置。
【請求項９】
前記スイッチ本体の中心軸が前記スイッチ本体の前記回転中心軸線の延在方向に相対変位可能に且つ相対回転不能に歯車に嵌合されている請求項１から８までのいずれか一つの項に記載のスイッチ装置。
【請求項１０】
請求項１から９までのいずれか一つの項に記載のスイッチ装置を備えた回転位置検出装置。
【請求項１１】
請求項１０に記載の回転位置検出装置を備えた電子時計。
【発明の詳細な説明】
【技術分野】
【０００１】
本発明は、月が変わるごとに自動的に日付を更新する月末無修正機能を備えた時計の２４時間車等の回転位置を検出するに適したスイッチ装置、並びにこれを備えた回転位置検出装置及び電子時計に係る。
【背景技術】
【０００２】
２４時間車の回転位置を検出するためのスイッチ装置として、周方向に間隔をおいて配置された二つの接点端子に対して順次接触可能な接点部を渦巻き状ばね部の先端に設け該渦巻き状ばね部を該渦巻きの中心軸線のまわりで正逆両方向に回転可能にしたものは、知られている（特許文献１）。
【０００３】
しかしながら、このスイッチ装置では、例えば、渦巻きの方向に沿う向きに渦巻き状ばね部が回転される際に該渦巻き状ばね部が先端の接点部を介して接点端子から受ける抵抗が、該渦巻き状ばね部が逆方向に回転される場合よりも大きくなるのを避け難く、長期間にわたる使用の間に渦巻き状ばね部が損傷を受ける虞れがあり、該渦巻き状ばね部を回転駆動するモータに対する負荷が増大するのを避け難い。なお、このスイッチ装置において、針回し位置に引出された巻真の回転に伴う２４時間車の回転方向を検出する場合、巻真の回転に応じて直接的発生される巻真回転信号とスイッチ装置の回転検出信号とを組合わせて２４時間車の回転方向を検出する。
【０００４】
一方、回転軸に対して相互に直径方向に延びた一対の腕部の先端部を回路基板に圧接させ、該回路基板上の一対の接点パターンと接触させるようにした回転位置検出のためのスイッチ装置も知られている（特許文献２）。
【０００５】
しかしながら、この特許文献２のスイッチ装置では、金属製腕部の接点となる先端部が常時回路基板の表面に圧接されていることから、該基板や接点パターンの削れや磨耗が生じるのを避け難い。
【特許文献１】特開２００６−２１４８８７号公報
【特許文献２】特開２０００−５６０４６号公報
【発明の開示】
【発明が解決しようとする課題】
【０００６】
本発明は、前記諸点に鑑みなされたものであり、その目的とするところは、回転駆動源に対する負荷を最低限に抑えた状態で、長時間安定に動作され得るスイッチ装置、これを備えた回転位置検出装置及び該スイッチ装置または該回転位置検出装置を備えた電子時計を提供することにある。
【課題を解決するための手段】
【０００７】
本発明のスイッチ装置は、前記目的を達成すべく、地板に対して垂直な回転中心軸線のまわりで回転可能で且つ該中心軸線の延在方向に地板に対して移動可能なスイッチ本体であって、該中心軸線に対して径方向に離れた部位において地板に向かって突出した複数の脚部、及び該複数の脚部のうち一つの脚部の地板とは反対側の端部において地板とは反対向きに突出したスイッチ接点部を備えたものと、前記スイッチ本体の複数の脚部の地板側端部が地板の対向表面に当接するように、スイッチ本体に対して地板方向の弾性力を与えるばね部を備えた弾性偏倚手段と、前記スイッチ本体が回転された際に、該スイッチ本体を地板の延在面に対して垂直な向きに変位させるべく地板の表面に形成された突出壁部を含む作動壁部と、スイッチ本体の回転の際にスイッチ本体が作動壁部の突出壁部によって地板の延在面に垂直な向きに変位された際に、スイッチ本体の前記スイッチ接点部と当接するように地板に対して対向配置された回路側接点とを有する。
【０００８】
本発明のスイッチ装置では、地板に対して垂直な回転中心軸線のまわりで回転可能で且つ該中心軸線の延在方向に地板に対して移動可能なスイッチ本体の複数の脚部の地板側端部を弾性偏倚手段によって地板の表面に当接させるようにしておくと共に、スイッチ本体が回転された際に該スイッチ本体を地板の延在面に対して垂直な向きに変位させる突出壁部を含む作動壁部を地板の表面に形成してあるので、スイッチ本体の回転位置に応じて、スイッチ本体が地板表面の凹凸に倣いつつ地板の延在面に垂直な方向に偏倚され得る。ここで、地板表面とスイッチ本体の脚部の地板側端部との接触は、該端部を地板表面の凹凸に倣わせ得る力であれば足りるので、最低限の押圧力にし得るから、当該端部と地板表面との間の摺動に伴う磨耗や削れの虞れを最低限に抑え得る。なお、このとき、弾性偏倚手段は、典型的には、スイッチ本体のうち回転軸となる部分を押える。但し、所望ならば、他の部分でもよい。また、この弾性偏倚手段は、単に弾性力を付与するだけでなく、典型的には、スイッチ本体の電気的な信号の入出力端子をなす。
【０００９】
また、本発明のスイッチ装置では、スイッチ本体の回転の際にスイッチ本体が作動壁部の突出壁部によって地板の延在面に垂直な向きに変位された際に、スイッチ本体の複数の脚部のうち一つの脚部の地板とは反対側の端部において地板とは反対向きに突出したスイッチ接点部と当接するように、回路側接点が地板に対して対向配置されているので、地板表面の凹凸に倣ってスイッチ本体が地板の延在面に垂直な方向に変位された際にスイッチ本体の接点部が回路側接点に当接するから、大きな押付け力がなくても、その接触を確実に行わせ得る。本発明のスイッチ装置では、スイッチ本体と接点部は、該接点部が回路側接点と当接する間だけ該回路側接点のある部分（典型的には、回路基板）に押付けられるので、該回路側接点のある部分（典型的には、回路基板）の磨耗等を生じさせる虞れを最低限に抑え得る。なお、押付け力が過大になるのを避けるためには、例えば、前記弾性偏倚手段に別のばね部を設けておいて、該別のばね部によって所望の弾性支持力で回路側接点のある部分を背後から支える。従って、本発明のスイッチ装置は、回転駆動源に対する負荷を最低限に抑えた状態で、長時間安定に動作され得る。
【００１０】
なお、本発明のスイッチ装置は、スイッチ本体の回転方向に依存する構造を実際上有しないので、該正逆両方向の回転負荷を同等にすることが可能になる。
【００１１】
本発明のスイッチ装置では、典型的には、前記回路側接点は、スイッチ本体が回転される際に該スイッチ本体のスイッチ接点部が移動する円に沿って配置された二つの回路側接点部を有する。
【００１２】
その場合、スイッチ本体の回転方向を決定することが可能になる。
【００１３】
本発明のスイッチ装置では、典型的には、二つの回路側接点部の間の間隔（間隙の大きさ）がスイッチ本体のスイッチ接点部の大きさよりも小さい。
【００１４】
その場合、スイッチ本体のスイッチ接点部が、二つの回路側接点部の一方に接触した後、両方に接触し、その後で他方に接触することが連続的に行われ得るから、巻真の回転検出手段の如き他の回転検出手段の助けなくして、スイッチ本体の回転方向を決定し得る。
【００１５】
なお、二つの回路側接点部の間の間隔がスイッチ本体のスイッチ接点部の大きさよりも大きい場合であって例えばスイッチ本体が２４時間真と一体的に形成されているような場合には、例えば、特許文献１と同様に巻真回転検出手段による巻真の回転の検出と併用することにより、スイッチ本体の回転方向を検出すればよい。
【００１６】
本発明のスイッチ装置では、典型的には、前記回路側接点部は、地板に平行に配置された回路基板の対向面に形成された導電パターンからなる。その場合、回路側接点部の形成や配置が容易に行われ得る。また、回路基板のうち該回路側接点部のある部分を比較的撓み易くしておくと共に該部分の背後を別の弾性偏倚手段で弾性的に支えることにより、スイッチ本体のスイッチ接点部と回路側接点部（導電パターン）との電気的接触に際して両者の間に過大な押圧力が生じるのを避けてスイッチ本体の回転負荷を最低限に抑え得、擦れ部の磨耗や削れを最低限に抑え得る。
【００１７】
本発明のスイッチ装置では、典型的には、前記スイッチ本体部の前記スイッチ接点部が導電性のピンからなる。その場合、例えば、スイッチ本体の全体を金属で形成すればよいので、導通を容易に採り易い。
【００１８】
本発明のスイッチ装置では、典型的には、前記弾性偏倚手段が回路側接点のある部分を背後から支える別のばね部を備える。その場合、スイッチ本体の回転に対する負荷が最低限に抑えられ得ることは前述のとおりである。
【００１９】
本発明のスイッチ装置では、典型的には、前記突出壁部が傾斜面を備える。その場合、スイッチ本体の回転に対する負荷を最低限に抑え得る。
【００２０】
本発明のスイッチ装置では、典型的には、前記スイッチ本体が２４時間真と一体的に形成される。２４時間車が一回転したこと（２４時間車の回転位置）を確実に検出し得、また、２４時間車の回転方向の検出も容易に行われ得る。
【００２１】
本発明のスイッチ装置では、典型的には、前記スイッチ本体の中心軸が該スイッチ本体の中心軸線の延在方向に相対変位可能に且つ相対回転不能に歯車に嵌合されている。これにより、歯車の噛合を保ったままスイッチ本体を中心軸線の延在方向に偏倚させ得る。この歯車は、例えば２４時間歯車からなる。但し、他の任意の回転伝達歯車であってもよい。
【００２２】
本発明の回転位置検出装置は、典型的には、上述のようなスイッチ装置を備える。
【００２３】
その場合、スイッチ本体が一体的に取付けられた回転体（車）の回転位置（典型的には、スイッチ本体のスイッチ接点部と回路側接点とが当接する回転位置）を検出し得る。なお、この回転位置検出装置は、回転方向の検出も容易であることは前述の通りである。
【００２４】
本発明の電子時計は、典型的には、上述のようなスイッチ装置や上述のようなスイッチ装置を備える。この電子時計では、例えば、スイッチ装置のスイッチ本体が２４時間車に組込まれ月末無修正機構を備えた時計が容易に形成され得、時差のある場所への移動に応じて巻真を針の進み方向又は針の戻し方向に回転させても、狂う虞れのない一種の万年時計（月末無修正機能を備えた時計）が得られる。
【発明を実施するための最良の形態】
【００２５】
本発明の好ましい一実施の形態を添付図面に示した好ましい一実施例に基づいて説明する。
【実施例】
【００２６】
図１の平面説明図には、本発明による好ましい一実施例のスイッチ装置１を備えた回転位置検出機構２を有する電子時計３が示されている。
【００２７】
電子時計３は、図２の断面説明図に示したように、地板１１と輪列受１２との間に時計輪列２０を有すると共に、各種電気・電子部品と協働して回路ブロック１３を構成する回路基板１４を有する。回路基板１４は、開口部ないし穴１４ｄを有する。
【００２８】
電子時計３では、回路基板１４に実装された水晶缶１５や時計用集積回路１６の制御下で、電池１７による給電を受けて、時計用モータ１８が駆動され、モータ１８のロータ１９の回転が、時計輪列２０を介して時刻表示針（図示せず）に伝えられて時刻表示針が回転される。時計輪列２０は、ロータ１９の回転が伝達される五番車２１、該五番車２１の回転が伝達される四番車（秒車）２２、該四番車２２の回転が伝達される三番車２３、該三番車２３の回転が伝達される二番車（分車）２４、該二番車（分車）２４の回転が伝達される日の裏車２５、及び該日の裏車２５の回転が伝達される筒車（時車）２６を含む。
【００２９】
筒車２６の回転は、図２に示した２４時中間車２７を介して２４時間車（２４時車）２８の歯車部すなわち２４時間歯車２８ａに伝達される。２４時間車２８の軸すなわち２４時間真２８ｂは、金属製で、回路基板１４の開口部１４ｄ内に延びている。２４時間車２８には、スイッチ装置１の金属製のスイッチ本体３０が、一体的に結合されている。
【００３０】
電子時計３は、また、カレンダ用モータ８０を有する。カレンダ用モータ８０のロータ８１の回転は、日回し用輪列８２を介して日車（図示せず）に伝えられて日車が回転される。日回し用輪列８２は、ロータ８１の回転が伝達される第一日回し中間車８３、該第一日回し中間車８３の回転が伝達される第二日回し中間車８４、及び該第二日回し中間車８４と同軸に連結されて該第二日回し中間車８４と一体的に回転される第三日回し中間車８５（図２）を含む。第三日回し中間車８５の回転は、日回し車８６を介して、日車（図示せず）に伝達される。８８は押え板である。
【００３１】
電子時計３は、更に、巻真９０を備え、該巻真９０が、Ｘ方向に一段引出された針回し位置では、例えば、三番車２３の回転が規制された状態で、巻真９０の回転がつづみ車９１及び小鉄車９２を介して日の裏車２５に伝達され、該日の裏車２５の回転に応じて、筒車（時車）２６及びスリップ式の二番車（分車）２４が回転されて、時針及び分針の針合せが行われる。
【００３２】
図１及び図２に加えて図５の（ａ）及び（ｂ）からわかるように、回転位置検出装置２を構成するスイッチ装置１は、２４時間車２８と一体的なスイッチ本体３０と、地板１１の作動壁部４０と、回路側接点としての回路ブロック１３の回路基板１４の接点５０と、弾性偏倚手段としての板ばね状腕部６１，６２を備えた金属製リード端子ばね６０とを有する。回路基板１４の絶縁基板本体は、典型的には、ポリイミドからなる。但し、他の材料でできていてもよい。
【００３３】
スイッチ本体３０は、金属製の２４時間真２８ｂに嵌着された金属製の円板３１と、該円板３１に取付けられた金属製の第一及び第二のピン３２，３３とを有する。第二のピン３３は非金属でもよいけれども、好ましくは摩擦特性等が同じになるように第一のピン３２と同一材料からなる。第一及び第二のピン３２，３３は、円板部３１の直径方向に対向する部位で且つ円板３１の回転中心軸線Ｃから等距離離れたところにおいて、円板３１に固定されている。第一のピン３２は、地板１１に対面する側に突出した地板側突出脚部３４と、回路ブロック１３に対面する側に突出した回路ブロック側突出脚部３５とを有する。第二のピン３３は、第一のピン３２よりも短く、地板１１に対面する側に突出した地板側突出脚部３６を有するけれども、回路ブロック１３に対面する側に突出した脚部は有しない。但し、第一のピン３２の回路ブロック側突出脚部３５よりも十分に短い限り、回路ブロック１３に対面する側に突出した脚部を有していてもよい。なお、第一のピン３２の地板側突出脚部３４と第二のピン３３の地板側突出脚部３６とは、実際上同じ長さだけ円板３１から突出している。
【００３４】
スイッチ本体３０は、ピン３２，３３を支え得る限り、円板３１に代わりに、２４時間真２８ｂの部分２８ｄと該ピン３２，３３とを繋いで支える一対の腕部からなっていてもよい。
【００３５】
２４時間真２８ｂは、大径部２８ｆにおいて地板１１の軸受部１１ａにより中心軸線ＣのまわりでＣ１，Ｃ２方向に回転自在に且つ中心軸線Ｃの延在方向と平行な方向Ａ１，Ａ２に変位自在に支持されている。なお、２４時間真２８ｂは、一端部２８ｇが角柱状に形成され、該角柱状端部２８ｇが２４時間歯車２８ａの相補的形状の孔すなわち角柱状孔２８ｈに対して、Ａ１，Ａ２に相対変位可能に嵌合されている。
【００３６】
地板１１は、回路ブロック１３に対面する側の表面１１ｂに、作動壁部４０を備える。地板１１の作動壁部４０は、中心軸線Ｃに関して直径方向に対向する部位に形成された一対の突出壁部４１，４２を含む。突出壁部４１，４２は、夫々、半径方向に延びた狭い扇形の凸部４３，４４を有すると共に、各扇状凸部４３及び４４の周方向の両側に傾斜壁部４５，４６及び４７，４８を有する。凸部４３，４４の高さは、典型的には、同じで、０．１〜０．３ｍｍ程度である。但し、０．３ｍｍより高くても、０．１ｍｍより低くてもよい。
【００３７】
リード端子ばね６０は、基端部６３において輪列受１２によって支持され、板ばね状腕部６１において、２４時間真２８ｂの端部２８ｅを弾性的にＡ１方向に押える。ここで、弾性偏倚手段としての板ばね状腕部６１は、２４時間真２８ｂと一体的なスイッチ本体３０を地板１１に対してＡ１方向に軽く押付ける機能を有すると共に、スイッチ本体３０の端部２８ｅとの間に常閉接点を形成し、スイッチ本体３０に常時導通している。
【００３８】
２４時間車２８が中心軸線Ｃのまわりで回転されると、円板３１の回転に応じて、ピン３２，３３の地板側突出脚部３４，３６の先端部３４ａ，３６ａが地板１１の表面１１ａのうち対向表面部分４９の凹凸に沿うように２４時間真２８ｂがＡ１，Ａ２方向に変位される。即ち、ピン３２，３３の地板側突出脚部３４，３６の先端部３４ａ，３６ａが、地板１１の作動壁部４０の突出壁部４１，４２に乗上げるときにはスイッチ本体３０及び２４時間真２８ｂがＡ２方向に変位され、リード端子ばね６０の板ばね状腕部６１のＡ１方向ばね力の作用下で、ピン３２，３３の地板側突出脚部３４，３６の先端部３４ａ，３６ａが壁部４１，４２から降りるときには、スイッチ本体３０及び２４時間真２８ｂがＡ１方向に変位される。地板１１の表面部分４９のうち凸部４３，４４及び両側の傾斜壁部４５，４６，４７，４８からなる突出壁部４１，４２以外の表面部分４９ａは、突出壁部４１，４２に対してＡ１方向に後退した基準を規定する基準平面になっている。なお、所望ならば、突出壁部４１，４２の凸部４３，４４よりも低い限り、基準平面部分４９ａが凹凸を有していてもよい。
【００３９】
回路ブロック１３の回路基板１４は、地板１１の一方の突出壁部４１に対面する部分１４ａのうち該壁部４１に対面する表面部分１４ｂに、一対の接点パターン５１，５２からなる接点５０を有する。接点パターン５１，５２は、夫々、接点部５３，５４と、該接点部５３，５４につながるリード線部５５，５６とを含む。
【００４０】
なお、回路基板１４の部分１４ａのうちその背面側表面１４ｃには、リード端子ばね６０の板ばね状腕部６２がＡ１方向に押付けられている。
【００４１】
従って、スイッチ本体３０のピン３２，３３のうち長い方のピン３２が地板側突出脚部３４の先端部３４ａで作動壁部４０の突出壁部４１の凸部４３に乗上げてスイッチ本体３０がＡ２方向に変位され、ピン３２の回路ブロック側突出脚部３５が、Ａ２方向に変位されて、その先端３５ａにおいて、接点５０に当接され得る。
【００４２】
なお、接点５０の接点パターン５１，５２は、周方向に小さい間隔Ｇ（例えば、図５の（ｂ）及び（ａ））をおいて配置されている。従って、ピン３２の突出脚部３５の先端３５ａは、図２〜図４及び図５〜図１１を参照して後で詳述するように、そのＣ１，Ｃ２方向の回転に応じて、接点パターン５１，５２のいずれにも当接しない状態Ｓ１だけでなく、接点パターン５１，５２のいずれか一方に当接する二種類の状態Ｓ２，Ｓ３と、接点パターン５１，５２の両方に当接する状態Ｓ４とを採り得る。
【００４３】
次に、以上の如く構成されたスイッチ装置１を備えた回転位置検出装置２の動作について、図１及び図２並びに図５に加えて、図３及び図４並びに図６〜図１１に基づいて、順に、説明する。
【００４４】
任意の時点において、２４時間車２８が図６に示した状態にあるとする。この状態では、ピン３２，３３のいずれも作動壁部４０の突出壁部４１，４２から離れたところ即ち基準平面部分４９ａ上に位置する。従って、リード端子ばね６０の板ばね状腕部６１によって２４時間真２８ｂの端部２８ｅでＡ１方向に押圧された２４時間車２８と一体的なスイッチ本体３０は、ピン３２，３３の地板側端部３４ａ，３６ａで地板１１の作動壁部４０の近傍の非突出表面部分である基準平面部分４９ａに押付けられる。その結果、ピン３２の回路ブロック側端部３５ａは、図２に示したように、接点５０から離れたところに位置する。以上のとおり、図６に示した状態は、ピン３２が、接点パターン５１，５２のいずれにも当接しない状態Ｓ１である。
【００４５】
なお、この状態Ｓ１は、ピン３２が突出壁部４１の傾斜壁部４５に近接した図６の位置Ｐ１２にある場合だけでなく、ピン３２が、当該位置Ｐ１２と、当該図６において想像線３２ｉで示したように突出壁部４２の傾斜壁部４５に近接した位置Ｐ１１との間にある全ての場合に同様に該当する。
【００４６】
２４時間車２８が、図６に示した状態Ｓ１からＣ１方向に回転されると、該２４時間車２８の回転に伴って、図７に示したように、ピン３２が基準平面部分４９ａから突出壁部４１の傾斜壁部４５に徐々に乗上げ、ピン３３が基準平面部分４９ａから突出壁部４２の傾斜壁部４６に徐々に乗上げる。その結果、ピン３２，３３がリード端子ばね６０の板ばね状腕部６１のばね力に抗して徐々にＡ２方向に変位される。但し、ピン３２，３３の地板側端部３４ａ，３６ａが突出壁部４１，４２の傾斜壁部４５，４６に途中まで乗り上げた状態では、ピン３２の回路ブロック側端部３５ａは接点５０に接触せず、状態Ｓ１に保たれる。
【００４７】
なお、ピン３２，３３が突出壁部４１，４２の傾斜壁部４５，４６を完全に乗上げる前に、ピン３２と接点５０との接触が開始される。この接触が開始されるタイミングは、適宜選択される。従って、図７に示した程度に乗上げが進んだ段階で、ピン３２と接点５０との接触が開始されるようになっていてもよい。
【００４８】
２４時間車２８が、図７に示した状態Ｓ１から更にＣ１方向に回転されると、該２４時間車２８の回転に伴って、図８に示したように、ピン３２が突出壁部４１の傾斜壁部４５を完全に登りきって凸部４３に達し、ピン３３が突出壁部４２の傾斜壁部４６を完全に登りきって凸部４４に達する。その結果、ピン３２，３３がリード端子ばね６０の板ばね状腕部６１のばね力に抗して最大限にＡ２方向に変位され、ピン３２は、回路ブロック側端部３５ａで接点５０の対応する接点パターン５１の接点部５３に当接する。その結果、２４時間真２８ｂの軸部３２と接点パターン５１との導通が確保される状態Ｓ２になる。従って、スイッチ装置１の接点パターン５１のリード線部５５とリード端子ばね６０との間における導通により、スイッチ装置１がＯＮになったことをチェックし得る。これを回転位置検出装置２についていえば、スイッチ装置１の接点パターン５１のリード線部５５とリード端子ばね６０との間における導通により、スイッチ装置１がＯＮになった位置をスイッチ本体３０の特定の回転位置、換言すれば、２４時間真２８ｂないし２４時間車２８の特定の回転位置を検出し得る。この特定の検出位置は、例えば、日付変更位置であってもそれに関連する特定動作の始動位置であっても他の位置であってもよい。
【００４９】
２４時間車２８が、図８に示した状態Ｓ２から更にＣ１方向に回転されると、該２４時間車２８の回転に伴って、図５の（ａ）に示したように、ピン３２，３３の地板側端部３４ａ，３６ａが対応する突出壁部４１，４２の凸部４３，４４の周方向の中央部に達し、ピン３２の回路ブロック側端部３５ａが接点５０の接点パターン５１，５２の接点部５３，５４の両方に接触するようになる状態Ｓ４に達する。即ち、ピン３２の回路ブロック側端部３５ａが接点パターン５１から離れる前に接点パターン５２の接点部５４に接触するようになって、状態Ｓ４になる。スイッチ装置１や回転位置検出装置２において、この状態Ｓ４になる位置を別の特定位置として設定し得る。
【００５０】
２４時間車２８が、図５の（ａ）に示した状態Ｓ４から更にＣ１方向に回転されると、該２４時間車２８の回転に伴って、図９に示したように、ピン３２，３３の地板側端部３４ａ，３６ａが対応する突出壁部４１，４２の凸部４３，４４の周方向の端部近傍に達し、ピン３２の回路ブロック側端部３５ａが接点５０の接点パターン５１から離れて、接点パターン５２の接点部５４だけに接触する状態Ｓ３になる。スイッチ装置１や回転位置検出装置２において、この状態Ｓ３になる位置を更に別の特定位置として設定し得る。
【００５１】
以上において、図８、図５の（ａ）及び図９の状態Ｓ２，Ｓ４，Ｓ３は、断面図でみると、図３の状態に対応する。
【００５２】
２４時間車２８が、図９に示した状態Ｓ１から更にＣ１方向に回転されると、該２４時間車２８の回転に伴って、図１０に示したように、ピン３２，３３の地板側端部３４ａ，３６ａが対応する突出壁部４１，４２の凸部４３，４４の周方向の端部を越えて傾斜壁部４７，４８に達し、ピン３２が突出壁部４１の傾斜壁部４７を徐々に下り、ピン３３が突出壁部４２の傾斜壁部４８に徐々に下る。その結果、ピン３２，３３がリード端子ばね６０の板ばね状腕部６１のばね力によって徐々にＡ１方向に変位される。従って、ピン３２の回路ブロック側端部３５ａと接点５０との全ての接触が解除されて、状態Ｓ１に戻る。
【００５３】
なお、この図１０に示した位置では、ピン３２の回路ブロック側端部３５ａと接点５０の接点パターン５２の接点部５４との電気的接触が残っているとしてもよいことは、図７に関連して前に説明したとおりである。
【００５４】
２４時間車２８が、図１０に示した状態から更にＣ１方向に回転されると、該２４時間車２８の回転に伴って、図１１に示したように、ピン３２，３３が突出壁部４１，４２の傾斜壁部４７，４８から完全に下って、基準平面部分４９ａに下りる。この間、状態Ｓ１に保たれる。
【００５５】
この状態は、２４時間車２８のＣ１方向回転に伴って、図６に示した状態に達するまで、より詳しくは、図７の状態を越えて図８の状態に達するまで続く。
【００５６】
なお、図１１の状態を過ぎた後、ピン３２が基準平面部分４９ａから突出壁部４２に乗上げ、ピン３３が基準平面部分４９ａから突出壁部４１に乗上げると、２４時間車２８と一体的なスイッチ本体３０がＡ２方向に変位されるけれども、接点５０に対面する位置にあるピン３３は短く該接点５０側に突出した部分を備えていないので、図４に示した断面説明図からわかる通り、ピン３３と接点５０との接触は生じない。従って、図１１に示す状態から図６に示す状態までの間でにおいては、状態Ｓ１に保たれる。
【００５７】
以上のとおり、２４時間車２８のＣ１回転に伴って、状態Ｓ１にあったスイッチ装置１が、図８、図５の（ａ）、図９に示す通り、順に、状態Ｓ２，Ｓ４，Ｓ３を採った後、状態Ｓ１に戻る。
【００５８】
従って、スイッチ装置１が、状態Ｓ２，Ｓ４，Ｓ３のいずれかの状態を採る時点を基準位置として、回転位置を信号を発することにより、２４時間車２８の一回転ないし一日の時間の経過を知らせ得る。また、状態Ｓ２から状態Ｓ４への変化、又は状態Ｓ４から状態Ｓ３への変化を検出することにより、２４時間車がＣ１方向に回転していることを検出し得る。
【００５９】
換言すれば、巻真９０を引出位置において回して時針や分針の表示位置を変える場合、巻真９０の回転により時針や分針が通常運針時とは逆向きに回転され２４時間車がＣ２方向に回転されるとすると、スイッチ装置１のスイッチ本体３０がＣ２方向に回転されるので、スイッチ装置１が、順に、状態Ｓ３，Ｓ４，Ｓ２を採る。スイッチ装置１の状態Ｓ３から状態Ｓ４への変化、又は状態Ｓ４から状態Ｓ２への変化を検出することにより、２４時間車がＣ２方向に回転していることを検出し得る。
【００６０】
ここで、スイッチ装置１では、本体３０のＡ１，Ａ２方向移動を行わせるようにしているので、スイッチ装置１のスイッチ本体３０のピン３２，３３と地板１１の作動壁部４０及び接点５０の接点パターン５１，５２の接点部５３，５４との相対的な位置関係や相対的な形状は、スイッチ本体３０の回転方向Ｃ１，Ｃ２に依存することなく実際上同一である。
【００６１】
このようにして、スイッチ装置１により２４時間車２８の回転方向の検出が可能になるのは、接点５０の接点パターン５１，５２の接点部５３，５４間の間隙Ｇよりもピン３２の端部３５ａが大きく、接点部５３，５４の両方に同時に接触する状態Ｓ４を採り得ることによる。なお、接点部５３，５４間の間隙Ｇをピン３２の端部３５ａよりも小さくして、ピン３２の端部３５ａが接点部５３，５４間の回路基板１４の部分に直接接触するのを避けることは、接点部５３，５４の削れ等を最低限に抑えるのに役立つ。
【００６２】
以上において、リード端子ばね６０の板ばね状腕部６２が、回路基板１４のうち基板部分１４ａを背後から常時Ａ１方向に押して、接点５０の接点部５３，５４がＡ２方向に逃げるのを避け、接点５０とピン３２との電気的接触を確実にしている。
【００６３】
なお、このスイッチ装置１では、リード端子ばね６０の板ばね状腕部６１のＡ１方向押圧力の作用下で、スイッチ装置１の本体３０のピン３２，３３の地板側端部３４ａ，３６ａが地板１１の作動壁部４０に常時押し付けられた状態で回転するけれども、電気的接点ではないので、摺動を優先させるような材料や形状を採り得、削れや磨耗が最低限に抑えられ得る。
【００６４】
また、スイッチ装置１において、スイッチ本体３０がピン３２だけではなくてピン３３を備えるので、スイッチ本体３０に加えられる外力のバランスが保たれ得るから、２４時間真２８ｂが確実にＡ２，Ａ１方向に変位され得る。ピン３２，３３が、円板状部３１によって２４時間真２８ｂに接続される代わりに、直径方向に延びた腕部によって２４時間真２８ｂに接続されていてもよい。また、ピン３２のＡ１，Ａ２方向変位を確実に行わせるために、ピン３２と共に１８０度間隔になるような一つの余分のピン３３を用いる代わりに、ピン３２と共に１２０度間隔になるような二つの余分のピン（ピン３３と同様なピン）を備えていてもよい。ピンが二本からなる場合でも、ピン３２，３３が中心軸線Ｃから等距離にある代わりに、一方が他方よりも遠くにあってもよい。
【００６５】
なお、所望ならば、接点パターン５１，５２の間隔がピン３２の突出脚部３５の先端３５ａの大きさよりも大きくてもよく、その場合、ピン３２の突出脚部３５の先端３５ａが接点パターン５１，５２の両方に当接する状態Ｓ４は生じない。
【００６６】
その場合、ピン３２と接点パターン５１，５２との当接状態の変化からは、２４時間車２８の回転方向は、わからないので、例えば、分針を一回転させるために一回以上回転される巻真９０の中間部のところに、該巻真９０が所定角度回転されるごとに回転信号Ｓｍ（図示せず）を発する回転検出機構９３を設けておき、ピン３２が接点パターン５１に接触してから別の接点パターン５２に接触するまでに発生される回転信号Ｓｍの数から、回転方向を決定すればよい。
【図面の簡単な説明】
【００６７】
【図１】本発明による好ましい一実施例のスイッチ装置を備えた回転位置検出装置を有する電子時計の平面説明図。
【図２】図１の電子時計において電気的接触がない典型的な回転状態の断面説明図。
【図３】図１の電子時計において、電気的接触が達成された回転状態の断面説明図。
【図４】図１の電子時計において電気的接触がない別の回転状態の断面説明図。
【図５】図１の電子時計において、スイッチ本体のピンと接点の二つの接点部とが同時に接触した状態を示したもので、（ａ）は図６〜図１１と同様な平面説明図、（ｂ）は断面説明図。
【図６】図１の電子時計において、電気的接触がない回転状態の平面説明図。
【図７】図１の電子時計において、図６の状態に対してスイッチ本体が少し回転した状態を示した平面説明図。
【図８】図１の電子時計において、ピンが一方の接点部と電気的に接触した状態を示す平面説明図。
【図９】図１の電子時計において、ピンが他方の接点部と電気的に接触した状態を示す平面説明図。
【図１０】図１の電子時計において、図９の状態に対してスイッチ本体が少し回転した状態（この例では、ピンと他方の接点部との電気的接触が断たれた状態）を示した平面説明図。
【図１１】図１の電子時計において、図１０の状態に対してスイッチ本体が少し回転した状態であって電気的接触がない回転状態の平面説明図。
【符号の説明】
【００６８】
１  スイッチ装置
２  回転位置検出機構
３  電子時計
１１  地板
１１ａ  軸受部
１１ｂ  表面
１２  輪列受
１３  回路ブロック
１４  回路基板
１４ａ  地板の突出壁部に対面する基板部分
１４ｂ  地板の突出壁部に対面する基板の表面部分
１５  水晶缶
１６  時計用集積回路
１７  電池
１８  時計用モータ
１９  ロータ
２０  時計輪列
２１  五番車
２２  四番車（秒車）
２３  三番車
２４  二番車（分車）
２５  日の裏車
２６  筒車（時車）
２７  ２４時中間車
２８  ２４時間車
２８ａ  ２４時間歯車
２８ｂ  ２４時間真
２８ｄ  真部分
２８ｅ  端
２８ｆ  大径部
２８ｇ  端部
３０  スイッチ本体
３１  円板
３２，３３  ピン
３４，３６  地板側突出脚部
３４ａ，３６ａ  端部
３５  回路ブロック側突出脚部
３５ａ  端部
４０  作動壁部
４１，４２  突出壁部
４３，４４  扇状凸部
４５，４６，４７，４８  傾斜壁部
４９  対向表面部分
４９ａ  基準表面部分
５０  接点
５１，５２  接点パターン
５３，５４  接点部
５５，５６  リード線部
６０  リード端子ばね
６１，６２  板ばね状腕部
８０  カレンダ用モータ
８１  ロータ
８２  日回し用輪列
８３，８４，８５  日回し中間車
８６  日回し車
８８  押え板
９０  巻真
９１  つづみ車
９２  小鉄車
Ａ１，Ａ２  方向
Ｃ  中心軸線
Ｃ１，Ｃ２  回転方向
【図１】
0005072554.tif 000002
【図２】
0005072554.tif 000003
【図３】
0005072554.tif 000004
【図４】
0005072554.tif 000005
【図５】
0005072554.tif 000006
【図６】
0005072554.tif 000007
【図７】
0005072554.tif 000008
【図８】
0005072554.tif 000009
【図９】
0005072554.tif 000010
【図１０】
0005072554.tif 000011
【図１１】
0005072554.tif 000012